(57)【特許請求の範囲】
【請求項１】
アンテナと送受信回路との接続を切り換えるスイッチング回路２つを、各々ダイプレクサを介してアンテナに接続して成り、各スイッチング回路の送受信周波数帯が異なる高周波回路であって、
前記各スイッチング回路は、送信回路に接続される送信端子と、受信回路に接続される受信端子と、前記ダイプレクサに接続されるアンテナ端子とを有するとともに、
前記送信端子と前記アンテナ端子との間に配置され、且つアノードが前記送信端子側に接続される第１のダイオードと、
前記アンテナ端子と前記受信端子との間に配置されたストリップラインと、アノードが前記ストリップラインの前記受信端子側に接続され、且つカソードがグランド電位に接続される第２のダイオードと、
前記第１及び第２のダイオードのＯＮ−ＯＦＦ制御を行う制御電圧を供給する制御端子とから成り、
且つ低い前記送受信周波数帯の処理を行う一方のスイッチング回路の前記ストリップラインに、その長さの全部または一部に、容量素子を並列接続し、前記ストリップラインの伝送特性に、前記一方のスイッチング回路の送受信周波数帯よりも高い周波数帯域に減衰極を形成するように設定したことを特徴とする高周波回路。
【発明の詳細な説明】
【０００１】
【発明の属する技術分野】
本発明は、異なる２つの送受信周波数帯の送受信を行う受信回路、送信回路、アンテナに、所定周波数帯の送受信信号を切り換えるスイッチング回路を具備する高周波回路に関するものである。
【０００２】
【従来の技術】
高周波回路は、デジタル携帯電話などにおいて、受信信号をアンテナから受信回路に供給し、また、送信信号を送信回路からアンテナに供給するように切り換えるスイッチング回路を具備している。
【０００３】
しかし、通信システムの複雑化に伴い、２つの通信システムに対応したデュアルバンド対応が希求されている。また、それら通信機器に使用される部品には小型化、軽量化が同時に要求される。
【０００４】
図４には、アンテナに接続するアンテナ端子をＡＮＴ、送信回路と接続する送信端子をＴＸ及び受信回路に接続する受信端子をＲＸに示したシングルバンドに対応した高周波回路を示している。
【０００５】
送信回路に接続する送信端子ＴＸは、コンデンサ３６、第１のダイオード３５及びコンデンサ３１を介して、アンテナ端子ＡＮＴに接続されている。即ち、送信回路に形成された所定周波数帯の送信信号（Ｆｔ）は、この送信ラインを介してアンテナに導出される。
【０００６】
また、アンテナに接続するアンテナ端子ＡＮＴは、ストリップライン３２、コンデンサ３３を介して、受信回路に接続された受信端子ＲＸに接続されている。
【０００７】
即ち、受信回路によって処理されるべき所定周波数帯の送信信号（Ｆｒ）は、この受信ラインを介して受信回路に供給される。
【０００８】
また、送信ライン側において、コンデンサ３６と第１のダイオード３５のアノードとの中間点には、抵抗３７を介して制御端子Ｖｔが接続されている。尚、第１のダイオード３５のアノードと抵抗３７の中間点はコンデンサ３８を介して接地されている。
【０００９】
また、受信ライン側において、ストリップライン３２とコンデンサ３３の中間点、即ちストリップライン３２の受信端子ＴＸ側には、第２のダイオード３４が接続されている。尚、第２のダイオード３４のアノードがストリップライン３２の受信端子側に接続されており、カソードがグランド電位に接地されている。
【００１０】
ここでコンデンサ３１、３３、３６、３８は、直流成分カットのコンデンサであり、制御端子Ｖｔから供給された制御電流（送受信切り換え信号）が、送信端子ＴＸ、受信端子ＲＸ、アンテナ端子ＡＮＴ及び接地に漏れることを防止するものである。
【００１１】
前述のスイッチング回路において、送信周波数Ｆｔを送信する場合、制御端子Ｖｔに正の電圧（バイアス電流）が与えられる。この電圧によって第１のダイオード３５および第２のダイオード３４がＯＮ状態になる。
【００１２】
第１のダイオード３５がＯＮ状態になることにより、送信回路ＴＸからの送信信号Ｆｔがアンテナ端子ＡＮＴに送信されることになる。同時に、第２のダイオード３４がＯＮ状態になることによりストリップライン３２の一端が第２のダイオード３４を介して接地される。ここで、ストリップライン３２の長さを所定送信信号の中心的な周波数、例えばＦｔに対して１／４波長の長さに設定しておくことにより、送信信号Ｆｔの周波数帯に対してインピーダンスが無限大となるため、受信端子ＲＸには伝達されない。
【００１３】
受信周波数Ｆｔを受信する場合は制御端子Ｖｔに負の電圧または０Ｖが与えられる。これにより、第１のダイオード３５および第２のダイオード３４にバイアス電流は供給されず、その結果、ＯＦＦ状態となる。これによりアンテナ端子ＡＮＴから受信信号Ｆｒは受信端子ＲＸに伝達され、送信端子ＴＸには伝達されない。この場合、ストリップライン３２は単なる伝送線路として働く。
【００１４】
以上の構成は、１つの周波数帯に対応したシングルモードのスイッチング回路の動作である。
【００１５】
このようなシングルモードのスイッチング回路をベースに、異なる送受信周波数帯の２つの通信システムを、１つの通信機器に対応させる、所謂デュアルバンド対応させる時には、図５のブロック図に示すように、２つのスイッチング回路ＳＷ１、ＳＷ２を、ダイプレクサＤで接続して高周波回路を構成していた。
【００１６】
ダイプレクサＤは、異なる送受信周波数帯の送受信信号を２つのスイッチング回路ＳＷ１、ＳＷ２のいずれかに分けて供給するものである。そして、ダイプレクサＤは、アンテナに接続される第１の端子Ｄ１、スイッチング回路ＳＷ１のアンテナ端子ＡＮＴに接続される第２の端子Ｄ２、スイッチング回路ＳＷ２のアンテナ端子ＡＮＴに接続される第３の端子Ｄ３を有している。
【００１７】
そして、このような２つのスイッチング回路ＳＷ１、ＳＷ２及びダイプレクサＤからなる高周波回路は、通信機器などの小型化に伴って、１つのモジュールとして取り扱われるようにして、通信機器全体の小型化を図っていた。即ち、この高周波回路を多層構造の回路基板に一体的に配置していた。
【００１８】
【発明が解決しようとする課題】
このように２つのスイッチング回路ＳＷ１、ＳＷ２、ダイプレクサＤを多層構造の回路基板に配置すると、２つのスイッチング回路ＳＷ１、ＳＷ２に必要なストリップライン、ダイオードやコンデンサなどの部品を実装し、また、多層構造の回路基板にビアホール導体、内部配線導体を配置しなくてはならない。
【００１９】
さらに、回路基板の形状を物理的に小型化しようとすると、２つのスイッチング回路の間隔が狭くなる。その結果、アイソレーションが充分に取れないという問題があった。
【００２０】
例えば、２つのスイッチング回路一方がＧＳＭ通信システム（送受信信号の周波数帯域が約９００ＭＨｚ）に、他方がＤＣＳ通信システム（送受信信号の周波数帯域が１．８ＧＨｚ）に対応する高周波回路では、特にＧＳＭ通信システムでの送受信時、ＧＳＭ通信システム（９００ＭＨｚ）以外の信号、例えば、約２倍の周波数であるＤＣＳ通信システムの受信信号Ｆｒ２（周波数  Ｆｒ１×２）が通過してしまうという問題があった。
【００２１】
即ち、一方のスイッチング回路ＳＷ１で処理する通信システムの送受信周波数帯（Ｆｔ１、Ｆｒ１）と、他方のスイッチング回路ＳＷ２で処理する通信システムの送受信周波数帯（Ｆｔ２、Ｆｒ２）との関係が２倍程度の関係である場合、ストリップライン３２の漏れが発生してしまい、減衰特性等を悪化させるという問題が生じた。
【００２２】
このような問題を解決するためには、アンテナＡＮＴとスイッチング回路ＳＷ１、２との間や、各送受信端子ＴＸ、ＲＸと送受信回路との間に周波数選別のフィルタ装置を設けることが考えられる。
【００２３】
しかし、フィルタ装置を回路基板に実装する場合もあれば、外側からフィルタを接続する場合もある。いずれにしても、フィルタ装置を付加すると部品点数が増大してしまい、その結果として、高周波回路が大型化してしまうという問題があった。
【００２４】
本発明は上述の問題点に鑑みて案出したものであり、その目的は受信時の通過特性を悪化させることなく、小型で、且つ他の通信システムに用いる周波数帯による漏れを防止することができ、高い品質の送受信が可能な高周波回路を提供するものである。
【００２５】
【課題を解決するための手段】
本発明は、アンテナと送受信回路との接続を切り換えるスイッチング回路を２つ準備するとともに、各々のスイッチング回路をダイプレクサを介してアンテナに接続して成り、前記各々スイッチング回路の送受信周波数帯が異なる高周波回路であって、
前記各スイッチング回路は、送信回路に接続される送信端子と、受信回路に接続される受信端子と、ダイプレクサに接続されるアンテナ端子とを有するとともに、
前記送信端子とアンテナ端子との間に配置され、且つアノードが送信端子側に接続される第１のダイオードと、
前記アンテナ端子と前記受信端子との間に配置されたストリップラインと、アノードが前記ストリップラインの前記受信端子側に接続され、且つカソードがグランド電位に接続される第２のダイオードと、
前記第１及び第２のダイオードのＯＮ−ＯＦＦ制御を行う制御電圧を供給する制御端子とから成り、
且つ前記低い送受信周波数帯の送受信信号の切り換える一方のスイッチング回路の前記ストリップラインに、その長さの全部または一部部分に、容量素子を並列接続させたことを特徴とする高周波回路である。
【００２６】
また、前記一方のスイッチング回路のストリップ線路及び該ストリップ線路に並列接続された容量素子は、その所定送受信周波数帯よりも高い周波数帯域に減衰極を形成するように設定した高周波回路である。
【００２７】
【作用】
本発明の高周波回路では、一方のスイッチング回路を構成するストリップラインに容量素子を並列に接続している。これより、ストリップラインの伝送特性に減衰極を形成している。尚、容量素子の接続点はストリップラインの両端部との間、該ストリップラインのある２点の間、一方端部とある中間点との間などに接続される。
【００２８】
また、この一方のスイッチング回路は、この回路側で処理する送信信号の中心的な周波数Ｆｔ１に応じて、その波長の１／４相当の長さを有している。同時に、このストリップラインに並列接続する容量素子は、この回路側で処理される受信信号の周波数Ｆｒ１の伝送特性をそのまま（良好）にして、その周波数Ｆｒ１よりも高い周波数でラインを介して供給される信号を減衰させるような容量成分を有するものを用いる。
【００２９】
尚、このストリップ線路に容量素子を並列接続する高周波回路は、２つの通信システムのうち、低い周波数帯の通信システムを処理するスイッチング回路に用いられることが望ましい。
【００３０】
これにより、容量素子を並列接続したストリップラインの伝送特性は、伝送特性に対して、ある周波数帯に減衰極を形成している。即ち、受信信号の周波数帯Ｆｒ１よりも高い周波数帯域でラインを介して供給される信号を減衰させることができる。
【００３１】
即ち、一方のスイッチング回路で受信ラインに、他方のスイッチング回路で処理される送信信号や受信信号などがノイズ（ノイズ信号）としてのったとしても、このストリップラインの伝送特性上、ノイズ信号が充分に減衰されることにより、ノイズ信号が一方のスイッチング回路の受信端子に現れることがない。これより、高い品質の送受信が可能な高周波回路となる。
【００３２】
また、一方のスイッチング回路のストリップラインに容量素子を並列配置されるだけなので、部品点数が大幅に増えることがなく、また、フィルタ装置を付加する必要もなく、高周波回路を内装した回路基板の形状が大型化することなく、また、両スイッチング回路を近接配置しても、充分なアイソレーションが得られ高周波回路となる。
【００３３】
その作用を図で説明すると、図６に従来のストリップラインの構成及びその伝送特性を示す。即ち、従来においてストリップラインは、受信処理の周波数帯Ｆｒ１を含む広い周波数範囲帯で減衰量が約０である（通過損失が約０である）。
【００３４】
これにより、アンテナ端子から供給される受信信号は、ストリップラインを介して、損失なく受信端子に供給されることになる。この時、他方のスイッチング回路で送受信処理をおこなうべき送信信号や受信信号がノイズとして、この受信ラインにのると、受信端子に導出され、通信混線などが発生してしまう。
【００３５】
これに対して、図２のように、ストリップライン１２に並列となる容量素子１９を配置する。これにより、このスイッチング回路の受信処理の周波数帯Ｆｒ１の近傍及びそれよりも低い周波数帯域では減衰量が約０である（通過損失が約０である）。そして、周波数帯Ｆｒ１よりも高い周波数領域で、減衰極が形成され，周波数帯Ｆｒ１よりも高い周波数の信号（ノイズ）では、所定減衰量で減衰する。例えば、減衰量が−２０ｄＢ以上とできる。
【００３６】
以上のように、本発明によれば、同じ回路基板で取り扱う周波数帯の異なる２つ以上のスイッチング回路を内層化する場合でも、受信時の通過特性を悪化させることなく、送信周波数の２倍の周波数帯域の減衰特性を改善し、部品を基板に内層化して小型化しても高い品質の送受信が可能な高周波回路を提供することができる。
【００３７】
【発明の実施の形態】
以下、本発明の高周波回路を図面に基づいて詳説する。尚、実施例には、２つの通信システム、例えばＧＳＭ通信システム（送受信周波数帯９００ＭＨｚ）、ＤＣＳ通信システム（送受信周波数帯１．８ＧＨｚ）に対応する２つのスイッチング回路を具備した高周波回路を例に説明する。なお従来例と同一の部分については、同じ符号を付してその説明を省略する。
【００３８】
図１は、本発明の高周波回路の回路図を示す。
【００３９】
図において、高周波回路は、アンテナに接続されるダイプレクサＤ、ダイプレクサＤを介してアンテナと受信回路または送信回路との接続状態を切り換える２つのスイッチング回路ＳＷ１、ＳＷ２とから構成されている。
【００４０】
ダイプレクサＤは、その第１の端子Ｄ１を介して、アンテナに接続されている。また、一方のスイッチング回路ＳＷ１（例えばＧＳＭ通信システムに対応したスイッチング回路）のアンテナ側端子は、ダイプレクサＤの第２の端子Ｄ２に接続され、他方のスイッチング回路ＳＷ２（例えばＤＣＳ通信システムに対応したスイッチング回路）のアンテナ側端子は、ダイプレクサＤの第３の端子Ｄ３に接続される。また、一方のスイッチング回路ＳＷ１及び他方のスイッチング回路ＳＷ２の構成は、従来のスイッチング回路ＳＷの構成をベースにしており、一方のスイッチング回路ＳＷ１は、コンデンサ１１、ストリップライン１２、コンデンサ１３、第２のダイオード１４、第１のダイオード１５、コンデンサ１６、抵抗１７、コンデンサ１８から構成されている。そして、受信端子ＲＸ１は受信回路に接続されて、送信端子ＴＸ１は送信回路に接続されている。また、制御端子Ｖｔ１は、一方のスイッチング回路ＳＷ１内において、送受信を切り換えるための制御電圧が供給される。
【００４１】
また、他方のスイッチング回路ＳＷ２は、コンデンサ２１、ストリップライン２２、コンデンサ２３、第２のダイオード２４、第１のダイオード２５、コンデンサ２６、抵抗２７、コンデンサ２８から構成されている。そして、受信端子ＲＸ２は受信回路に接続されて、送信端子ＴＸ２は送信回路に接続されている。また、制御端子Ｖｔ２は、一方のスイッチング回路ＳＷ２内において、送受信を切り換えるための制御電圧が供給される。尚、受信端子ＲＸ１、ＲＸ２は両者の受信信号の周波数帯が相違するため、受信端子ＲＸ１と受信回路ＲＸとの間には、例えば９００ＭＨｚ帯の受信信号を受信回路ＲＸで処理可能な周波数に変換する周波数変換回路（ミキサーやフィルタなど）を具備しており、受信端子ＲＸ２と受信回路ＲＸとの間にも、例えば１．８ＧＨｚ帯の受信信号を受信回路ＲＸで処理可能な周波数に変換する周波数変換回路が具備されている。
【００４２】
また、一方のスイッチング回路ＳＷ１においては、ストリップライン１２の線路長は、このスイッチング回路ＳＷ１で処理される送信信号Ｆｔ１の中心的な周波数の１／４波長に相当する長さとなっている。他方のスイッチング回路ＳＷ２のストリップライン２２の線路長は、このスイッチング回路ＳＷ２で処理される送信信号Ｆｔ２の中心的な周波数の１／４波長に相当する長さとなっている。また、低い周波数（Ｆｒ１、Ｆｔ１（総じて、Ｆ１という）、例えば約９００ＭＨｚ）の処理を行うスイッチング回路ＳＷ１のストリップライン１２は、スイッチング回路ＳＷ１よりも高い周波数（Ｆｒ２、Ｆｔ２（総じて、Ｆ２という）約１．８ＧＨｚ）の処理を行うスイッチング回路ＳＷ２のストリップライン２２の長さの２倍となっている。
【００４３】
また、本発明では、低い周波数帯Ｆ１の処理を行うスイッチング回路ＳＷ１側のストリップライン１２に、容量素子１９が並列接続されている。
【００４４】
これより、伝送路として動作するストリップライン１２には、容量素子１９が並列接続されるため、周波数帯Ｆ１よりも高い周波数帯域で２つの減衰極を形成することができ、全体としてローパスフィルタとして動作させることができる。
【００４５】
このような構成の高周波回路において、ＧＳＭ通信システムにおける送信処理を行う場合には、スイッチング回路ＳＷ１の制御端子Ｖｔ１に正の電圧（第１のダイオード１５、第２のダイオード１４に順バイアス電流を与える信号）を供給する。そして、スイッチング回路ＳＷ１の第１のダイオード１５及び第２のダイオード１４はＯＮ状態となる。
【００４６】
ここで、第２のダイオード１４がＯＮ状態となるため、ストリップライン１２の受信端子ＲＸ１側の端部はＧＮＤ電位に接地されることになる。そしてストリップライン１２を送信信号Ｆｔ１（実際の送信周波数としてはＦ１は８８０〜９１５ＭＨｚ）に対して、ショートスタブ（インピーダンス無限大）となり、送信信号がストリップライン１２で遮断され、受信端子ＲＸ１に漏れることなく、ダイプレクサＤに導出されることになる。
【００４７】
また、ＧＳＭ通信システムにおける受信処理に行う場合には、スイッチング回路ＳＷ１の制御端子Ｖｔ１に０または負の電圧（第１のダイオード１５、第２のダイオード１４には無印加）を供給する。このため、第１のダイオード１５及び第２のダイオード１４はＯＦＦ状態となる。
【００４８】
ここで、第１のダイオード１5 がＯＦＦ状態となるため、ダイプレクサＤと送信回路ＴＸ１との間が遮断されて、受信信号Ｆｒ１が送信端子ＲＸ１に漏れることがない。これにより、ダイプレクサＤから分離された受信信号Ｆｒ１は、ストリップライン１２を介して受信端子Ｒｘ１に導出されることになる。この時、ストリップライン１２は単に伝送路として動作し、且つ容量素子１９とにより、ローパスフィルタとして動作するものの、所定受信信号Ｒｘ１を含む約９００ＭＨｚの周波数帯よりも高い周波数帯域で減衰極が形成されているので、この所定受信信号Ｒｘ１が減衰することない。
【００４９】
また、ＤＣＳ通信システムにおいては、他方のスイッチング回路ＳＷ２において同様の動作をおこなう。
【００５０】
ここで、２つのスイッチング回路ＳＷ１、スイッチング回路ＳＷ２を有するデュアルバンド対応の高周波回路において、特に、スイッチング回路ＳＷ１のストリップライン１２に、周波数帯Ｆ１の信号のみを通過させて、その２倍の周波数２×Ｆ１の信号、即ち、スイッチング回路ＳＷ２で送受信処理する周波数帯を、減衰させるようになっている。これは、この高周波回路を、小型、高密度化のために同一基板内にスイッチング回路ＳＷ１とＳＷ２とを近接配置すると、スイッチング回路ＳＷ２からスイッチング回路ＳＷ１側に、スイッチング回路ＳＷ２で処理する送受信信号Ｆｔ２、Ｆｒ２が、ノイズとしてのってくることがあるからである。
【００５１】
即ち、スイッチング回路ＳＷ１が動作していない時や、スイッチング回路ＳＷ１のストリップライン１２が単なる伝送路として機能する時において、ラインを介して供給される高い周波数の不要なノイズを除去することが重要となる。
【００５２】
本発明では、低い周波数処理を行うスイッチング回路ＳＷ１のストリップライン１２に対して、容量素子（コンデンサ）１９を接続している。このため、ストリップライン１２は、単体ではローパスフィルタのような特性を示す。これより、スイッチング回路ＳＷ２で処理する送受信信号（送受信周波数Ｆ２：１７１０〜１９１０ＭＨｚで、Ｆ２と２×Ｆ１は近い周波数帯）が、不要なノイズとしてスイッチング回路ＳＷ１の受信ラインにのったとしても、この高い周波数の信号（ノイズ）を充分に減衰させることができ、結果として、スイッチング回路ＳＷ１の受信端子ＲＸ１に導出されないことになる。
【００５３】
これにより、高品質の送受信信号の処理が可能となる。
【００５４】
同時に、この２つのスイッチング回路ＳＷ１、ＳＷ２を、同一の多層基板に内装して、しかも、両スイッチング回路を近接しても、そこから漏れる信号成分（ノイズ）はストリップライン１２自身で充分減衰され、周波数帯２×Ｆ１の減衰特性を悪化させることがない。
【００５５】
以上、図２（ａ）に示すように、ストリップライン１２に容量素子１９を並列配置させることにより、全般として図２（ｂ）に示すように、所定周波数帯Ｆ１よりも高い周波数帯域に減衰極が形成される。その結果、ストリップライン１２の伝送特性上の周波数帯Ｆ１よりも高い周波数帯域で通過損失が大きくなる。これより、例えば、一方のスイッチング回路ＳＷ１で処理する送受信信号の周波数帯Ｆ１よりも高い周波数帯に存在する他方のスイッチング回路ＳＷ２で処理する送受信周波数Ｆ２の信号（スイッチング回路ＳＷ１ではノイズとなる）が、スイッチング回路ＳＷ１の受信端子ＲＸ１に導出されることがない。
【００５６】
減衰極の制御は、容量素子１９の容量値、この容量素子１９が並列接続されるストリップライン１２の所定接続長さ（インダクタンス）によって行うことができる。
【００５７】
例えば、容量素子１９の容量を小さくすると、２つの減衰極の間隔が狭くなるようになり、逆に、容量素子１９の容量を大きくすると、２つの減衰極の間隔が拡がるようになる。
【００５８】
例えば、２つの減衰極の間隔が狭くなりすぎると、減衰極間の減衰量が充分に得られず、ノイズ信号の損失が小さくなってしまう。
【００５９】
また、２つの減衰極が広く成り過ぎると、通過すべき受信信号Ｆｒ１の近傍での周波数に対する減衰量が減少してしまう。
【００６０】
また、本発明者は、ストリップライン１２の減衰極（極位置）と２倍のＦ１（Ｆ１を８８０〜９１５ＭＨｚ）における減衰特性の関係を調べた。
【００６１】
その結果を図３に示す。図３から理解できるように、ストリップライン１２の減衰極位置と２×Ｆ１における減衰特性には関係があり、この周波数帯域（実際には、スイッチング回路ＳＷ２で送受信処理される周波数帯）に対応する減衰特性を−３０ｄＢ以下に確保するためには、マージンも考えて減衰極位置を２３００ＭＨｚ以下にしておく必要がある。
【００６２】
その極位置に設定するためには、コンデンサ１９の容量値をたとえば２ｐＦとすれば、ストリップライン１２とコンデンサ１９の接続点同士の距離は６〜７ｍｍにすれば良い。ストリップライン１２の線路長は、スイッチング回路ＳＷ１で処理される送信信号Ｆ１の中心的な周波数の１／４波長に相当する長さとなるように設定すれば良い。この場合は約１８ｍｍである。
【００６３】
尚、上述の実施例では、ストリップライン１２に対して容量素子１９を並列接続している。そして、図２（ａ）に示す回路図では、ストリップライン１１の両端に容量素子１９が接続されているが、容量素子１９が接続されるストリップライン１２の２点を、ストリップライン１２の一方端部と所定位置の中間点部分としたり、また、２点をストリップライン１２の所定の２つの中間点部分としても構わない。
【００６４】
また、上述の実施例では、一方のスイッチング回路ＳＷ１（スイッチング回路ＳＷ２で処理される送受信信号の周波数帯Ｆ２よりも、低い側の周波数の送受信処理を行う側のスイッチング回路）のストリップライン１２に、容量素子１９を形成したが、例えば、他方のストリップライン２２の側にも同様の容量素子を用いても構わない。この場合、特定周波数以上の外来高周波ノイズ成分を、他方のスイッチング回路ＳＷ２の受信ラインに伝送されることがないため、その安定性が向上する。
【００６５】
【発明の効果】
以上のように、本発明では、同じ基板に２つのスイッチング回路ＳＷ、ダイプレクサを具備する高周波回路を形成しても、一方の受信信号の周波数Ｆｒ１を伝送するストリップラインに、その周波数Ｆｒ１よりも高い周波数でラインを介して供給される信号がノイズとしてのったとしても、高い周波数の信号は、ストリップラインによって十分減衰されるため、スイッチング回路全体としての減衰特性を悪化させず、同時に、受信時の通過特性は良いままに保たれ、高い品質のスイッチング処理ができる。
【００６６】
また、２つのスイッチング回路を同じ基板に内層化し小型化しても受信時の通過特性を悪化させることなく、送信時の送信周波数の２倍の周波数帯域の減衰特性を改善し、高い品質の送受信を可能にすることができる。
【図面の簡単な説明】
【図１】本発明の高周波回路の回路図である。
【図２】本発明のストリップラインに容量素子を並列接続した場合の通過特性を示すものであり（ａ）はその接続図、（ｂ）は特性図である。
【図３】容量素子を並列接続したストリップラインの減衰極位置と２倍の周波数帯における減衰特性の関係を示す図である。
【図４】従来のシングルモードのスイッチング回路の回路図である。
【図５】従来のデュアルモードのスイッチング回路（高周波回路）のブロック図である。
【図６】従来のストリップラインの通過特性を示すものであり（ａ）はその形状（ｂ）は特性図である。
【符号の説明】
２、１２、２２・・ストリップライン
４、１４、２４・・第２のダイオード
５、１５、２５・・第１のダイオード
ＲＸ、ＲＸ１、ＲＸ２・・受信端子
ＴＸ、ＴＸ１、ＴＸ２・・送信端子
ＡＮＴ・・アンテナ端子
【図１】
0004231177.tif 000002
【図２】
0004231177.tif 000003
【図３】
0004231177.tif 000004
【図４】
0004231177.tif 000005
【図５】
0004231177.tif 000006
【図６】
0004231177.tif 000007